(57)【要約】      （修正有）【課題】足関節を十分に保護することができ、しかも安価な足関節サポータを提供する。【解決手段】上述の課題を解決するため、この考案の足関節サポータ１は、足底支持部材２と、内足側支柱３と、外足側支柱４と、下部ベルト５と、上部ベルト６とを有し、足底支持部材２は硬性素材よりなり、足底支持板７と、足底支持板の内足側に形成された内足側折曲部８と、足底支持板７の外足側に形成された外足側折曲部９とを有し、内足側支柱３と外足側支柱４とは可撓性素材よりなり、内足側支柱３は内果収容部１０を有し、内足側折曲部８に回転自在に接続されており、外足側支柱４は外果収容部を有し、外足側折曲部９に回転自在に接続されており、内足側支柱の接続部１２が外足側支柱の接続部１３よりも指に近い位置に設けられており、下部ベルト５は内果および外果の外周に巻きつけられる位置に設けられていることを特徴とする。【選択図】図１
0003132283.tif 000002
【実用新案登録請求の範囲】
【請求項１】
足底支持部材と、内足側支柱と、外足側支柱と、下部ベルトと、上部ベルトとを有し、
足底支持部材は硬性素材よりなり、足底支持板と、足底支持板の内足側に形成された内足側折曲部と、足底支持板の外足側に形成された外足側折曲部とを有し、
内足側支柱と外足側支柱とは可撓性素材よりなり、
内足側支柱は内果収容部を有し、内足側折曲部に回転自在に接続されており、
外足側支柱は外果収容部を有し、外足側折曲部に回転自在に接続されており、
内足側支柱の接続部が外足側支柱の接続部よりも指に近い位置に設けられており、
下部ベルトは内果および外果の外周に巻きつけられる位置に設けられていることを特徴とする足関節サポータ。
【請求項２】
足底支持板にベルト取り付け部が設けられていることを特徴とする請求項２に記載の足関節サポータ。
【考案の詳細な説明】
【技術分野】
【０００１】
この考案は、足関節を保護するためのサポータに関するものである。
【背景技術】
【０００２】
捻挫により損傷した靱帯を保護するための足関節装具やサポータに関する発明が、特許文献１〜３などに記載されている。特許文献１に記載された足関節装具は、圧縮ウレタンなど伸縮性の素材によって袋状に形成された本体部で足底を覆うものである。特許文献２に記載された足関節装具や特許文献に記載された足関節サポーターは、ベルトを足底に巻きつけるものである。
【０００３】
また、足関節を保護する装具として、硬い靴本体部に金属製の支柱を取り付けて、足を固定するものがある。
【特許文献１】特開２０００−１０２５５３号
【特許文献２】特開２００１−１７００９４号
【特許文献３】特開２００４−２３６８１１号
【考案の開示】
【考案が解決しようとする課題】
【０００４】
特許文献１〜３に記載された足関節装具やサポータは、柔軟な袋状の部材やベルト状の部材を足底に着用するものであり、足底を堅固に固定することはできない。したがって、捻挫の再発を十分に防止することはできない。
【０００５】
硬い金属製の支柱を用いた装具は、下肢部を全体的に強く固定することができる。しかし、金属製の支柱は全く変形しないため、使用者の体に合わせて個別に作成する必要がある。そのため、どうしても希望者に提供するまでに時間がかかり、また高価にならざるを得ない。また、リウマチの患者の場合、病気の進行により足の変形が進み、そのたびに装具を作り直さなければならない。
【０００６】
この考案は、足関節を十分に保護することができ、しかも安価な足関節サポータを適用することを目的とする。
【課題を解決するための手段】
【０００７】
上述の課題を解決するため、この考案の足関節サポータは、足底支持部材と、内足側支柱と、外足側支柱と、下部ベルトと、上部ベルトとを有し、足底支持部材は硬性素材よりなり、足底支持板と、足底支持板の内足側に形成された内足側折曲部と、足底支持板の外足側に形成された外足側折曲部とを有し、内足側支柱と外足側支柱とは可撓性素材よりなり、内足側支柱は内果収容部を有し、内足側折曲部に回転自在に接続されており、外足側支柱は外果収容部を有し、外足側折曲部に回転自在に接続されており、内足側支柱の接続部が外足側支柱の接続部よりも指に近い位置に設けられており、下部ベルトは内果および外果の外周に巻きつけられる位置に設けられていることを特徴とする。また、この構成に加えて、足底支持板にベルト取り付け部が設けてもよい。
【考案の効果】
【０００８】
この考案の足関節サポータは、足関節を効果的に保護することができる。使用者の足の形状の違いに対しても適合しやすく、構造も簡易であり、安価に提供できるという効果を有する。
【考案を実施するための最良の形態】
【０００９】
この考案を実施するための最良の形態について説明する。ここでは、左足用の足関節サポータを例に説明する。図１は左足用の足関節サポータを示す斜視図、図２は内足側支柱を示す右側面図、図３は同左側面図、図４は外足側支柱を示す左側面図、図５は同右側面図である。
【００１０】
足関節サポータ１は、足底支持部材２と、内足側支柱３と、外足側支柱４と、下部ベルト５と、上部ベルト６とを有する。
【００１１】
足底支持部材２は硬性素材よりなり、足底支持板７と、足底支持板７の内足側に形成された内足側折曲部８と、足底支持板７の外足側に形成された外足側折曲部９とを有する。この考案において硬性素材とは、布やスポンジなど変形にほとんど抵抗できない材料を除外するという意義であり、足底を強く固定できる剛性を有する材料であれば足りる。たとえば、革、合皮、プラスチックなどが使用できる。ここでは、硬性プラスチックを芯材とし、表面を合皮によって覆った材料を使用する。
【００１２】
足底支持板７は使用者の足底を支持するものであり、必ずしも足底全体をカバーする必要はない。ここでは、足底の踵側半分程度をカバーするものである。内足側折曲部８と外足側折曲部９は、足底支持板７の側部で踵側端部に設けられていて、足底支持板７に対して概ね垂直に形成されている。
【００１３】
内足側支柱３と外足側支柱４とは可撓性素材よりなる。この考案において可撓性素材とは、人力程度の力が加わったときに、抵抗しながらもある程度変形可能であり、その力がなくなれば弾性によって元の形状に戻ることができるような材料をいう。したがって、布やスポンジなど変形にほとんど抵抗できない材料を除外する。また、厚いステンレス板のように、人力ではほとんど変形しないようなものも除外する。たとえば、革、合皮、プラスチックなどが使用できる。ここでは、足底支持部材２と同様に硬性プラスチックを芯材とし、表面を合皮によって覆った材料を使用する。
【００１４】
内足側支柱３は、下肢の内足側の面に合うような形状に形成されている。そして、下肢に接する側に内果収容部１０が設けられている。内果収容部１０はその周囲の部分よりくぼんだ形状になっているか、または周囲よりもやわらかい素材を設けることによって形成している。内果によって突き出した部分（踝）が収容できるのに十分な大きさおよび深さになっている。
【００１５】
外足側支柱４も、概ね内足側支柱３と同様の構造である。下肢の外足側の形状に合うような面に形成されている。そして、下肢に接する側に外果収容部１１が設けられている。
【００１６】
内足側支柱３は内足側ジョイント１２によって内足側折曲部に回転自在に接続されている。外足側支柱４は外足側ジョイント１３によって外足側折曲部に回転自在に接続されている。これらの接続部は使用者の踝（内外果）よりも低い位置に設けられている。また、内足側支柱の接続部１２と外足側支柱の接続部１３は足の中心線ｘに対して非対称の位置になっている。すなわち、内足側支柱の接続部１２が外足側支柱の接続部１３よりも指に近い位置に設けられている。
【００１７】
内足側支柱３または外足側支柱４のどちらかには、下部ベルト５が固定されている。この下部ベルト５は、内果収容部１０および外果収容部１１の高さに合わせて設けられている。下部ベルト５の先端部には面ファスナー１４が設けられており、先端部同士の接続・分離ができるようになっている。
【００１８】
内足側支柱３と外足側支柱４の上部には上部ベルト６を着脱するための面ファスナー１５，１６，１７，１８が設けられている。ここでは、下肢に接する側の面と外側の面の両方に設けられている。上部ベルト６は発泡ウレタンなどスポンジ状の柔らかい素材で作られていて、使用者の下肢の周囲を２周巻ける程度の長さを有する。上部ベルト６の先端部にも面ファスナーが設けられている。
【００１９】
また、この実施の形態において、足底支持板７にはベルト取り付け部が設けられている。ここでは、足底支持板７の下面にベルト取り付け用溝１９が形成されている。
【００２０】
つぎに、足関節サポータの使用方法について説明する。この足関節サポータ１は、捻挫などによって損傷して保護を要する側の足に着用する。ここでは、左足に着用する例で説明する。この足関節サポータ１は靴を脱いだ状態で着用する。左足の踵側を足底支持部材２の上に置き、内足側支柱３と外足側支柱４を下肢に当てる。ここで、踝が内果収容部１０および外果収容部１１に収まるようにする。下部ベルト５を内足側支柱３と外足側支柱４の外周に巻きつけ、先端部の面ファスナー１４によりとめる。こうして、踝が足関節サポータ１に強く固定される。
【００２１】
さらに、上部ベルト６を内足側支柱３および外足側支柱４の上部に巻きつける。上部ベルト６の一端を内足側支柱３または外足側支柱４の内側の面ファスナーに接続し、最初の一周は、下肢と内足側支柱３および外足側支柱４の間に巻く。こうすることによって、下肢は柔らかい上部ベルト６を介して内足側支柱３および外足側支柱４に接する。次の一周は、内足側支柱３および外足側支柱４の外周に巻きつけ、外足側支柱４の先端部の面ファスナーによってとめる。
【００２２】
以上、この足関節サポータ１は簡単に着脱することができる。足関節サポータ１を着用した状態で、靴を履く。足底支持部材２は小さく作られており、革靴、スポーツシューズなど使用者が通常使う靴をそのまま着用できる。サイズも通常のものを使用できる。したがって、片足のみに足関節サポータ１を使用する場合でも、左右同サイズの靴を履くことができる。
【００２３】
この足関節サポータ１を着用した状態において、使用者の踝は内果収容部１０および外果収容部１１によって強く固定され、十分な強度を有する内足側支柱３および外足側支柱４によって支持される。したがって、足にかかる荷重のうち、一定部分が踝によって支えられ、足関節にかかる負担が減少する。足首などへの荷重を低減させる方法として、これまでは膝に特別な装具を取り付けることが行われていたが、この足関節サポータのように踝によって足関節の免荷することは知られていない。簡易な構造でありながら、足関節を効果的に保護することができる。
【００２４】
この足関節サポータ１を着用した足を前に踏み出そうとすると、足関節を曲げるときに、内足側支柱３および外足側支柱４はそれぞれ内足側ジョイント１２および外足側ジョイント１３によって回転する。ここで、内足側支柱の接続部１２が外足側支柱の接続部１３よりも指に近い位置に設けられているため、足関節サポータ１はねじれるような変形を起こす。このため、足が外反方向へ向くような力が作用し、内反にならないように矯正される。これによって、捻挫の再発を防止することができる。
【００２５】
この足関節サポータ１は捻挫を防止するのに有効な固定力を有するが、着用時において、足部周囲の締め付け感は非常に少ない。したがって、損傷部位（軟部組織）周囲の疼痛が軽減される。また、固定部周囲や末梢部位の血流障害や感覚障害などが生じにくい。このため、この足関節サポータ１は長時間の装着が可能である。負傷直後における足関節の保護や、ある程度回復した時点での捻挫再発防止に使用できるほか、スポーツなど激しい動きにおける怪我の防止にも使用できる。
【００２６】
さらに、この足関節サポータ１は、室内でも使用できる。この場合、ベルト取り付け用溝１９にベルトをはめ込み、ベルトを足に巻いて、足と足底支持板を密着させることが好ましい。これによって、室内を歩くときに電源コードなどが足と足底支持板の間に入いることを防止できる。
【００２７】
この足関節サポータ１は、これまでの装具のように使用者の体に厳密に合わせる必要がない。足の全体的な大きさに合わせていくつかのサイズを用意すれば、多くの使用者に対応できる。したがって、使用者ごとにオーダーメイドする必要がなくなり、レディメイドの製品として量産することができる。また、構造も簡易であり、従来の装具に比べて安価に提供することができる。
【図面の簡単な説明】
【００２８】
【図１】足関節サポータを示す斜視図である。
【図２】内足側支柱を示す右側面図である。
【図３】同左側面図である。
【図４】外足側支柱を示す左側面図。
【図５】同右側面図である。
【符号の説明】
【００２９】
１．足関節サポータ
２．足底支持部材
３．内足側支柱
４．外足側支柱
５．下部ベルト
６．上部ベルト
７．足底支持板
８．内足側折曲部
９．外足側折曲部
１０．内果収容部
１１．外果収容部
１２．内足側支柱の接続部（内足側ジョイント）
１３．外足側支柱の接続部（外足側ジョイント）
１４、１５，１６，１７，１８  面ファスナー
１９．ベルト取り付け部
２０．ベルト
【図１】
0003132283.tif 000003
【図２】
0003132283.tif 000004
【図３】
0003132283.tif 000005
【図４】
0003132283.tif 000006
【図５】
0003132283.tif 000007
【手続補正書】
【提出日】平成19年3月18日(2007.3.18)
【手続補正１】
【補正対象書類名】実用新案登録請求の範囲
【補正対象項目名】請求項２
【補正方法】変更
【補正の内容】
【請求項２】
足底支持板にベルト取り付け部が設けられていることを特徴とする請求項１に記載の足関節サポータ。
【手続補正２】
【補正対象書類名】明細書
【補正対象項目名】０００２
【補正方法】変更
【補正の内容】
【０００２】
捻挫により損傷した靱帯を保護するための足関節装具やサポータに関する発明が、特許文献１〜３などに記載されている。特許文献１に記載された足関節装具は、圧縮ウレタンなど伸縮性の素材によって袋状に形成された本体部で足底を覆うものである。特許文献２に記載された足関節装具や特許文献３に記載された足関節サポーターは、ベルトを足底に巻きつけるものである。
【手続補正３】
【補正対象書類名】明細書
【補正対象項目名】０００６
【補正方法】変更
【補正の内容】
【０００６】
この考案は、足関節を十分に保護することができ、しかも安価な足関節サポータを提供することを目的とする。